(57)【特許請求の範囲】
【請求項１】
間隙を有して相対移動する構成部品間の前記一方の部品に取付けられて前記他方の部品との間をシールするブラシシール装置であって、
剛毛が配列されて壁状に形成された一端部列を固着した取付部を有すると共に前記他方の部品の相対面と対向する自由端部面を有するブラシシールと、
前記ブラシシールの取付部と結合して前記ブラシシールの側面が支持される支持面を有する背板部と、
前記ブラシシールの前記取付部を前記背板部との間で保持する保持板部とを具備し、
前記背板部の前記支持面と前記ブラシシールとの対向面間に間隔を有すると共に、
前記背板部の前記支持面の径方向のほぼ中央に前記剛毛の配列方向に沿って条を成す凸部が形成されており、
前記ブラシシールの前記剛毛の線径が０．０１から０．００８ｍｍに形成されていることを特徴とするブラシシール装置。
【請求項２】
（補正前の請求項３に相当）
前記背板部の前記支持面が前記ブラシシールの配列方向に沿って凹部に形成されていることを特徴とする請求項１に記載のブラシシール装置。
【発明の詳細な説明】
【０００１】
【発明の属する技術分野】
本発明は、例えば、航空機、ガスタービン等の回転軸の相対移動する二構成部品間をシールするブラシシール装置に関する。特に、二構成部品の一方部品が微少な変動をしてもブラシシールが一方部品の変動に対応して変形可能にし、両部品間をシールするようにしたブラシシール装置の技術分野に係わるものである。
【０００２】
【従来技術】
本発明に関する先行技術には、図１３に示すブラシシール装置１００が存在する。
【０００３】
図１３は、回転軸１２０が貫通するケーシング１１０との間に取り付けられたブラシシール装置１００の断面図である。そして、このケーシング１１０は、蒸気タービンの部品であって、 ブラシシール装置１００がケーシング１１０と回転軸１２０との間を仕切るようにして蒸気圧をシールしているものである。
【０００４】
図１３において、ブラシシール装置１００は、リング状に形成されて、ケーシング１１０の溝部１１２に取り付けられている。このブラシシール装置１００の主要な構成は、ブラシシール１０９と背板１０２と支持板１０３である。このブラシシール１０９は、剛毛１０１が円周に沿って壁状に配列され、一端部が結合されて取付部１０４を形成している。そして、ブラシシール１０９の自由端面１０５は回転軸１２０に対向する。従来技術の剛毛１０１の線形は、この分野では一般に、０．２５ｍｍ以上のものが用いられている。
【０００５】
このブラシシール１０９の側面には、環状をした背板１０２が側面１０８をブラシシール１０９と接触状態にして配置され、被密封流体の圧力の作用に対して剛毛１０１を支持している。
【０００６】
又、ブラシシール１０９の他方の面には、保持板１０３がリング板に形成されて背板１０２との間でブラシシール１０９の取付部１０４側を狭持するごとく一体に配置されている。この保持板１０３は、被密封流体がブラシシール１０９の側面に作用できるように径方向の幅が狭くされてブラシシール１０９を露出させている。
【０００７】
そして、背板１０２とブラシシール１０９の取付部１０４と保持板１０３とは、一端が溶接されて結合部１０６に形成されている。
【０００８】
図１４は、ブラシシール１０９の正面図である。この図１４のブラシシール装置１００は、ブラシシール１０９と回転軸１２０とが揺動しない正常に嵌合した状態である。この正常状態は、図１３の仮想線で示す回転軸１２０がブラシシール１０９の自由端面に接触又は近接しているものである。
【０００９】
更に、他の従来技術として図示は省略するが、背板１０２の側面１０８とブラシシール１０１の側面との間をわずかな間隙に構成したものが存在する。しかし、剛毛１０１の線径が、０．２５ｍｍ以上に形成されているために、間隙を設けた効果がなく、回転軸１２０の変動に対する剛毛１０１の追随性も発揮されずに、剛毛１０１の自由端面１０５を早期に摩耗させる結果となっている。更に、剛毛１０１の線径が太いために回転軸との摩擦の関係から剛毛の積層された壁の厚さを厚くすることができない問題があり、シール能力にも影響している。
【００１０】
【発明が解決しようとする課題】
上述のごとく構成されたブラシシール装置は、回転軸１２０が振動などにより、図１３に示すように、ブラシシール１０９に接触すると、ブラシシール１０９は、図１５に示すように回転軸１２０と圧接された状態になりながら傾斜角度も増加させる。
【００１１】
この状態で、被密封流体の圧力が高圧Ｐ１の場合には、図１６に示すように、低圧Ｐ２との差圧（Ｐ１−Ｐ２）が大きくなるから、ブラシシール１０９は背板１０２の側面１０８に押圧された状態になる。
【００１２】
請求項１に係わる本発明のブラシシール装置は、間隙を有して相対移動する構成部品間の前記一方の部品に取付けられて前記他方の部品との間をシールするブラシシール装置であって、
剛毛（４）が配列されて壁状に形成された一端部列を固着した取付部（３）を有すると共に前記他方の部品の相対面と対向する自由端部面（５）を有するブラシシール（２）と、
前記ブラシシール（２）の取付部（３）と結合して前記ブラシシール（２）側面が支持される支持面（７）を有する背板部（６）と、
前記ブラシシール（２）の前記取付部（３）を前記背板（６）との間で保持する保持板部（１０）とを具備し、
前記背板部（６）の支持面（７）と前記ブラシシールとの対向面間に間隔（Ｄ）を有すると共、前記背板部（６）の前記支持面（７）の径方向のほぼ中央に前記剛毛（４）の配列方向に沿って条を成す凸部（９）が形成されており、前記剛毛（４）の線径が０．０１ｍｍから０．００８ｍｍに形成されているものである。
【００１３】
請求項１に係わる本発明のブラシシール装置では、背板部の支持面との間に間隔をおいて前記剛毛が配置されていると共に前記剛毛の線径が０．０１ｍｍから０．００８ｍｍに形成されているものであるから、剛毛の自由端面に他方の部品が接触しても、剛毛は、間隔を有する方向に弾性変形でき、例えば、ロータに接合しても面圧を和らげて追随し、接触しても摩耗するのが防止される。
更に、剛毛の線径が細いので剛毛の積層状壁を密周させることが可能になり、シール能力が向上する。
【００１５】
また、請求項１に係わる本発明のブラシシール装置では、背板部の支持面に条を成す凸部が設けられているので、ブラシシールに被密封流体の圧力を受けながら自由端面に、例えば、ロータが接面しても、凸部により曲げられる剛毛が径方向長さを更に縮小するので、接触面圧を弱めて、ロータの動きに追随することが可能になる。
【００１６】
請求項２に係わる本発明のブラシシール装置は、前記背板部（６）の支持面（７）が剛毛（４）の配列方向に沿って凹部（８）に形成されており、前記凹部（８）に前記凸部（９）が形成されているものである。
【００１９】
請求項２に係わる本発明のブラシシール装置では、凹部に更に凸部が設けられているので、更にブラシシールの長さを幾重にも曲げて短縮することができ、例えば、ロータとの接触圧力を小さくすることができる。
【００２０】
本発明に関連するブラシシール装置としては、前記ブラシシールの前記剛毛（４）が前記取付部（３）から傾斜した角度に配置されていると共に、前記背板部（６）の支持面（７）、又は前記保持板部（１０）の前記ブラシシール（２）と対向する側面（１１）に前記剛毛（４）の傾斜角度が小さくなる方向へ変位するのを防ぐ抵抗手段（１２）を有するものもある。
【００２１】
そのようなブラシシール装置では、前記ブラシシールの前記剛毛が前記取付部から傾斜した角度に配置されている場合、前記背板部の支持面、又は、前記保持板部の前記ブラシシールと対向する側面に、前記剛毛の傾斜角度が小さくなる方向へ変位するのを防止する抵抗手段を設けている。このために、剛毛は、被密封流体圧力等の作用を受け、傾斜している方向から垂直方向に変移しようとするのを抵抗手段により防止されるから、剛毛が他方の部品に接触して摩耗するのを防止する。例えば、剛毛がロータとの圧接力を増加して摩耗するのを効果的に防止できる。
この抵抗手段は、ブラシシールに近接している支持面、例えば、凸部の支持面、又は、ブラシシールの自由端部面側の凸部の支持面、或いは、保持板部のブラシシールと対向する側面のブラシシールと近接させた凸部の面に設けると効果的である。
【００２２】
請求項２に係わる本発明のブラシシール装置は、前記背板部（６）の支持面（７）に前記剛毛（４）の配列方向に沿って条を成す凸部（９）が形成されているものである。
【００２３】
請求項２に係わる本発明のブラシシール装置では、背板部の支持面に条を成す凸部が設けられているので、ブラシシールに被密封流体の圧力を受けながら自由端面に、例えば、ロータが接面しても、凸部により曲げられる剛毛が径方向長さを更に縮小するので、接触面圧を弱めて、ロータの動きに追随することが可能になる。
【００２４】
請求項３に係わる本発明のブラシシール装置は、前記背板部（６）の支持面（７）が剛毛（４）の配列方向に沿って凹部（８）に形成されているものである。
【００２５】
請求項３に係わる本発明のブラシシール装置では、凹部がブラシシールの背面側に設けられているので、ブラシシールが被密封流体の圧力を受けると湾曲状にに変形するので、長さを短縮することが可能になる。
【００２６】
請求項４に係わる本発明のブラシシール装置は、前記凹部（８）に前記剛毛の（４）の配列方向に沿って条を成す凸部（９）が形成されているものである。
【００２７】
請求項４に係わる本発明のブラシシール装置では、凹部に更に凸部が設けられているので、更にブラシシールの長さを幾重にも曲げて短縮することができ、例えば、ロータとの接触圧力を小さくすることができる。
【００２８】
請求項５に係わる本発明のブラシシール装置は、前記ブラシシールの前記剛毛（４）が前記取付部（３）から傾斜した角度に配置されていると共に、前記背板部（６）の支持面（７）、又は前記保持板部（１０）の前記ブラシシール（２）と対向する側面（１１）に前記剛毛（４）の傾斜角度が小さくなる方向へ変位するのを防ぐ抵抗手段（１２）を有するものである。
【００２９】
請求項５に係わる本発明のブラシシール装置では、前記ブラシシールの前記剛毛が前記取付部から傾斜した角度に配置されている場合、前記背板部の支持面、又は、前記保持板部の前記ブラシシールと対向する側面に、前記剛毛の傾斜角度が小さくなる方向へ変位するのを防止する抵抗手段を設けている。このために、剛毛は、被密封流体圧力等の作用を受け、傾斜している方向から垂直方向に変移しようとするのを抵抗手段により防止されるから、剛毛が他方の部品に接触して摩耗するのを防止する。例えば、剛毛がロータとの圧接力を増加して摩耗するのを効果的に防止できる。
【００３０】
この抵抗手段は、ブラシシールに近接している支持面、例えば、凸部の支持面、又は、ブラシシールの自由端部面側の凸部の支持面、或いは、保持板部のブラシシールと対向する側面のブラシシールと近接させた凸部の面に設けると効果的である。
【００３１】
【発明の実施の形態】
以下、本発明に係わる実施の形態についてのブラシシール装置を図面に基づいて詳述する。尚、以下の図面は概念図ではなく、設計図である。
【００３２】
図１は、ガスタービンのケーシング５０とロータ６０との間隙を高圧Ｐ１側と低圧Ｐ２側とに仕切るブラシシール装置１の断面図である。
【００３３】
図１において、１はブラシシール装置である。このブラシシール装置１の外周側の固定部２０は、構成部品の一方の部品であるケーシング５０の内周面に設けられた溝部５１に取り付けられている。又、ブラシシール装置１の内周側の自由端部面５は他方の部品であるロータ６０の外周面と対向して接面又は近接した状態に配置されている。そして、高圧Ｐ１側の被密封流体をシールする。
【００３４】
ブラシシール装置１は、ブラシシール２、背板部６及び保持板部１０が主要な構成である。
【００３５】
このうちのブラシシール２は、剛毛４がロータ６０の回転方向に傾斜して周方向に沿って積層状態に配置されて壁状を成している。そして、外周側が溶接により一体化されて取付部３を形成している。この剛毛４の一実施例として、例えば、線径は０．２〜０．００５ｍｍ、好ましくは０．１５〜０．０８ｍｍである。又、長さは５〜５０ｍｍの範囲である。更に、剛毛の壁の厚さは０．５〜５ｍｍの範囲を利用した。
【００３６】
更に、剛毛４の材質は、鋼線、ニッケル基の合金線、セラミック線材等が用いられる。
【００３７】
背板部６は、ブラシシール２の取付部３を保持する固着部６Ａとブラシシール２に被密封流体の圧力が作用して極端に曲げられないように支持する支持面７とを設けている。そして、ブラシシール２と支持面７との間は、間隔Ｄに形成されている。この間隔Ｄは、大きいほど良いが、大きすぎると剛毛４の取付部３側が曲げによる疲労破壊を惹起する。これを防止するために傾斜面又は凸面に形成された変形防止部１５を設けている。
【００３８】
背板部６の支持面７とブラシシール２の面間は、間隔Ｄの寸法に形成されているから、ブラシシール２は被密封流体の圧力を受けて支持面７に接面すると、その間隔Ｄ寸法だけ曲げられるので剛毛４の長さは直線方向が曲げられた分短縮されることになる。このために、結果的に、ロータ６０から間隙Ｃだけ離間することになる。つまり、ロータ６０は、振れが生じても間隙Ｃ寸法の範囲だけは面圧が和らげられる。更に、ロータ６０がそれより少し触れ回りが大きく揺動して接触しても、曲げられた剛毛４は、接触力を減少させるから摩耗するのが防止される。
【００３９】
ブラシシール２は、背板部６と保持板部１０とにより取付部３が電子ビームの溶接により一体に結合され、この三部品の溶接部は固定部２０を形成する。そして、保持板部１０は、リング状に形成されて、背板部６より径方向幅が小さい寸法に形成されている。尚、図１では、保持板部１０が固定部２０を形成する長さであるが、図９に示すように背板部６に近い径方向の長さに形成することも可能である。そして、この保持板部１０の場合には、ブラシシール２と保持板部１０の側面１１との間に被密封流体が流入できる空間部Ｈに形成される。
【００４０】
背板部６と保持板部１０は、ケーシング５０の線膨張係数に合わせて材質を選定することが好ましい。例えば、ニッケル基の合金、鉄、鋼、その他非鉄金属で製作される。更には、被密封流体の種類、温度、又は、その他の適用分野の条件によって種々の材質が選定されている。
【００４１】
図２は、本発明に係わる第２の実施の形態を示すブラシシール装置１の断面図である。
【００４２】
図２に示すブラシシール装置１は、図１に示すブラシシール装置１と支持面７を除いては、ほぼ同一構成のものである。図２に示す背板部６には、支持面７に相当する凹部８が形成されている。つまり、図１に示すものと本質的に相違するのは、背板部６の支持面７の内周端に突起部７Ａが設けられる形に凹部８を形成したものである。そして、凹部８の深さＤ、つまり、支持面７とブラシシール２との対向面間の間隔Ｄである。
【００４３】
その結果、ブラシシール２が被密封流体の圧力を受けて凹部８の底面である支持面７に接面するように湾曲状に曲げられると、図４に示すようになるから、その分、図１に示すブラシシール２よりも径方向の長さが曲げられた分短縮されることになる。
【００４４】
更に、突起部７Ａの角は、傾斜面に形成して剛毛４の曲げを緩やかにすることもできる。
【００４５】
この実施の形態は、ロータ６０の振れ、揺動が大きい場合に、その振れ、揺動に対応させて面圧を小さくさせるために、剛毛４の長さを突起部７Ａにより更に短縮させるものである。尚、実際には、ブラシシール２の自由端部面５側は、被密封流体の圧力により、図４に示す状態よりは、やや傾斜角度が小さくなった状態で径方向面を成して自由端部面５がロータ６０の外周面と対向する。
【００４６】
図３は、本発明に係わる第３の実施の形態を示すブラシシール装置１の断面図である。
【００４７】
図３に於いて、図２と相違する点は、凹部８の底面である支持面７に於けるブラシシール２の取付部３側を傾斜面にした変形防止部１５に形成したものである。この場合も、図１において説明したように、ブラシシール２の取付部３側の曲げ疲労を傾斜面又は湾曲凸面の変形防止部１５によって防止するものである。そして、被密封流体の圧力を受けたときには、図４に示すようにブラシシールの中間が湾曲状に変形して支持面７により支持されると共に、剛毛４の径方向の長さは曲げられた分短縮される。
【００４８】
図５は、本発明に係わる第４の実施の形態を示すブラシシール装置１の断面図である。
【００４９】
また、請求項１に係わる本発明のブラシシール装置によれば、支持面に凸部が設けられているから、更に剛毛の曲げによる短縮を可能として他方の部品との圧接力を弱めて剛毛の摩耗を効果的に防止することが期待できる。
【００５１】
請求項２に係わる本発明のブラシシール装置によれば、凹部に凸部が形成されているから、径方向の長さを更に曲げて短縮し、圧接力を弱めて摩耗するのを防止する効果が発揮される。
【００５２】
また、前述の本発明に関連するブラシシール装置によれば、支持面により剛毛の径方向の長さを短縮可能にすると共に、抵抗手段により被密封流体の圧力を受けても剛毛の傾斜角度が小さくなる方向へ変位して直線上に長くなるのを防止し、他方の部品との圧接を阻止して摩耗するのを効果的に防止する。
【００５３】
図６は、図５に示すブラシシール装置１の環状の凸部９及び突起部７Ａの角部を円弧（Ｒ取り）状に角を取ったものである。更に、図３に示す傾斜面を円弧状に突出させた変形防止部１５に形成したものである
この様に形成することにより、ブラシシール２は被密封流体の圧力を受けて二重に曲がられても極端に曲げられる部分がなくなるから、疲労破壊せずに、耐久性を得ることができる。
【００５４】
図７は、本発明に係わる第６の実施の形態を示すブラシシール装置１の断面図である。
【００５５】
この図７も、被密封流体の圧力を受けてブラシシール２が支持面７により全面が支持されるごとくして剛毛４が支持面７に沿って曲げられた状態である。
【００５６】
図７は、図１に示す支持面７を傾斜面に形成すると共に、支持面７の外周側に傾斜面を設けて変形防止部１５に形成し、且つ、内周端側にやや突起した突起部７Ａに形成すると共に、先端面を平面状にしたものである。
【００５７】
この図７に示すような形に背板部６の支持面７を形成することにより、被密封流体の圧力を受けても、剛毛４に無理な疲労破壊が惹起しないから、耐久性を発揮することが可能になる。
【００５８】
図８は、本発明に係わる第７の実施の形態を示すブラシシール装置１の断面図である。
【００５９】
この図８も、被密封流体の圧力を受けてブラシシール２が支持面７により支持されるごとくして剛毛４が曲げられた状態である。
【００６０】
図８は、図１に示すブラシシール装置１の背板部６の支持面７に環状の凸部９を設けたものである。このブラシシール装置１の場合は、剛毛４の線径が０．０１から０．００８ｍｍの細い場合である。この場合も、高圧Ｐ１側から被密封流体の圧力を受けると、ブラシシール２の自由端部面５は、ロータ６０から間隙Ｃを離間させることが可能になる。
【００６１】
図９は、本発明に係わる第８の実施の形態を示すブラシシール装置１の断面図である。
図９は、図２に示すブラシシール装置１と類似するが、背板部６と保持板部１０とを点溶接１４により結合すると共に、その両者間にブラシシール２の取付部３を狭着して取り付けたものである。
【００６２】
そして、背板部６には、凹部８を設け、この凹部８の深さがブラシシール２と支持面７との間隔Ｄを形成することになる。又、保持板部１０は、図２に示す保持板部１０より径方向の幅を長くしてブラシシール２を内径側までカバーしたものである。この保持板部１０はブラシシール２との間を空間Ｈに形成して高圧Ｐ１側の被密封流体が空間Ｈ内のブラシシール２に作用できるように構成したものである。
【００６３】
この図９に示すブラシシール装置１も、上述した８図以下のブラシシール装置１と同様に、一体型のリング状に形成されているものである。
【００６４】
そして、背板部６の突起部７Ａの面には、ブラシシール２の剛毛４の傾斜角度と同じ角度でラチェット型の波形をした凹凸状の抵抗手段１２Ａが形成されている。この凹凸状の抵抗手段１２Ａは、図示省略するが、波形の一形状が一方角度を大きくすると共に、他方角度を緩やかにするラチェット型を波形にしたものであり、この形が波のように連続するものである。
【００６５】
このように突起部７Ａに抵抗手段１２Ａを形成することにより、高圧Ｐ１側の被密封流体の圧力を受けても、剛毛４の傾斜角度が小さくなる方向へ変位して剛毛４が径方向へ直線上に長くなるのを防止することが可能になる。しかも、凹凸状の抵抗手段１２Ａはラチェット型に形成されているから、剛毛４の自由端部面５にロータ６０が当接しても、傾斜している剛毛４は、波形の傾斜角度の緩やかな方向に移動して、傾斜角度を大きくしながら、自由端部面５の内径を拡大することが可能になる。
【００６６】
図１０は、本発明に係わる第９の実施の形態を示すブラシシール装置１の断面図である。
【００６７】
図１０は、分割型のブラシシール装置１の断面図である。このブラシシール装置１は、内径が大径であるために、又、回転軸に装着を容易にするために分割型に形成されている。
【００６８】
図１０は、図９とほぼ同様に構成されているが、分割されて組み立てられるように構成されている点と、剛毛４の長さが長いので凹部８の支持面７が断面円弧状に形成されている点で相違する。又、保持板部１０のブラシシール２と対向する側面１１には突起した傾斜状の抵抗手段１２Ｂが設けられている。この傾斜状の抵抗手段１２Ｂは、ブラシシール２の周方向の平面に対して１方が近接していると共に、他方が距離を開いた状態に傾斜した傾斜面が波状に形成されている。
【００６９】
そして、傾斜状の抵抗手段１２Ｂにより、図９に示した凹凸状の抵抗手段１２Ａと同様、剛毛４に対して異常な動きを規制する作用効果を発揮させ、被密封流体の圧力が剛毛４に作用しても、ブラシシール２の剛毛４の傾斜角度が、特に小さくなる方向に移動するのを防止し、ブラシシールの内径が小径となる方向へ簡単には変化しないようにするものである。
【００７０】
以上のように、ブラシシール２の自由端部面５が、ロータ６０に当接したときに、支持面７の機能により剛毛の曲げを可能にし、この曲げにより当接力を弱めてブラシシール２が摩耗するのを効果的に防止することが可能になる。
【００７１】
又、剛毛４はロータ６０の回転方向に傾斜しているから、被密封流体の異常な圧力を受けると、傾斜角度が小さくなるように変位してブラシシール２の内径が小径になる方向へ変位することが時としてある。この様な状態になるとロータ６０と圧接することになるが、抵抗手段１２によりブラシシール２が変動するのを防止し、ブラシシール２がロータ６０に圧接して摩耗するのを効果的に防止する。
【００７２】
図１１は、図２に示すブラシシール装置１於いて、剛毛４の線径を０．１３ｍｍ、凹部の径方向の幅Ｗ＝１３ｍｍ、凹部の深さ（間隔）Ｄ＝０．５ｍｍにし、ブラシシール２の径方向へロータ６０により加重を加えたときの撓みＤと加重Ｌとの関係を実験したグラフである。この図１１と、次の図１２とを対比すると、図１１のグラフのヒステリシスＨｙ１は、図１２のヒステリシスＨｙ３よりも小さくなっていることが直ちに判別できる。つまり、図１１は、図１２と同一撓みの位置で、加重の絶対値Ｌ１が減少していると共に、ヒステリシスＨｙ３もヒステリシスＨｙ２の大きさだけ小さくなっていることが分かる。
【００７３】
図１２は、図１１と対比する撓みＤと加重Ｌとの関係を調査するために、図１３のブラシシール装置について、剛毛１０１の線径＝０．２５ｍｍ、剛毛の長さは図２と同一として実験した一比較例である。即ち、図１３に示すブラシシール装置１００についてブラシシールの径方向への撓みＤと加重Ｌとの関係を実験したデータをグラフに表したものである。
【００７４】
この比較例では、撓みＤと加重Ｌとの関係でヒステリシスＨｙ３が大きくなっている。このことから、本発明が従来技術に対して優れた効果を奏することが両者の比較により判別できる。なお、図１１と図１２とを対比するとき、ｙ軸のＬｘ１とＬｘ２とＬｘｍａｘとは同一荷重の値である。
【００７５】
【発明の効果】
請求項１に係わる本発明のブラシシール装置によれば、背板部のブラシシールと対向する面に間隔を有して支持面が設けられているから、ブラシシールの自由端部面がロータに当接しても、剛毛を支持面に当接するまで屈曲を可能にし、当接力を弱めて剛毛の摩耗を効果的に防止することが期待できる。
【００７６】
請求項２に係わる本発明のブラシシール装置によれば、支持面に凸部が設けられているから、更に剛毛の曲げによる短縮を可能として他方の部品との圧接力を弱めて剛毛の摩耗を効果的に防止することが期待できる。
【００７７】
請求項３に係わる本発明のブラシシール装置によれば、背板部に凹部が形成されているから、二点支持により剛毛に無理な応力を作用させることなく、径方向の長さを短縮可能にして摩耗を防止する効果が期待できる。
【００７８】
請求項４に係わる本発明のブラシシール装置によれば、凹部に更に凸部が形成されているから、径方向の長さを更に曲げて短縮し、圧接力を弱めて摩耗するのを防止する効果が発揮される。
【００７９】
請求項５に係わる本発明のブラシシール装置によれば、支持面により剛毛の径方向の長さを短縮可能にすると共に、抵抗手段により被密封流体の圧力を受けても剛毛の傾斜角度が小さくなる方向へ変位して直線上に長くなるのを防止し、他方の部品との圧接を阻止して摩耗するのを効果的に防止する。
【図面の簡単な説明】
【図１】本発明に係わる第１の実施の形態を示すブラシシール装置が構成部品間に装着された状態の断面図である。
【図２】本発明に係わる第２の実施の形態を示すブラシシール装置の断面図である。
【図３】本発明に係わる第３の実施の形態を示すブラシシール装置の断面図である。
【図４】本発明に係わる第４の実施の形態を示すブラシシール装置の断面図である。
【図５】本発明に係わる第５の実施の形態を示すブラシシール装置の断面図である。
【図６】本発明に係わる第６の実施の形態を示すブラシシール装置の断面図である。
【図７】本発明に係わる第７の実施の形態を示すブラシシール装置の断面図である。
【図８】本発明に係わる第８の実施の形態を示すブラシシール装置の断面図である。
【図９】本発明に係わる第９の実施の形態を示すブラシシール装置の断面図である。
【図１０】本発明に係わる第１０の実施の形態を示すブラシシール装置の断面図である。
【図１１】本発明のブラシシールに径方向へ加重を加えて実験した撓みと加重との関係を示すグラフである。
【図１２】図１２は、図１１に示す発明の撓みと加重との関係に対する比較例である。
【図１３】従来のケーシングと回転軸との間に装着されたブラシシール装置の断面図である。
【図１４】図１１の回転軸が揺動しない状態のブラシシールの正面図である。
【図１５】図１１に示す回転軸と圧接状態のブラシシールの正面図である。
【図１６】図１１のブラシシール装置に被密封流体の圧力が高圧で作用した状態の断面図である。
【図１７】図１３の状態から回転軸が離れようとする状態の正面図である。
【図１８】図１４に示す状態から回転軸が反対方向に離れて間隙Ｃの状態になるブラシシール装置の断面図である。
【符号の説明】
１  ブラシシール装置            １１  側面
２  ブラシシール                １２  抵抗手段
３  取付部                      １４  点溶接
３Ａ  固着部                    １５  変形防止手段
４  剛毛                        ２０  固定部
５  自由端部面                  ５０  一方の部品（ケーシング）
６  背板部                      ５１  溝部
６Ａ  固着部                    ６０  他方の部品（ロータ）
７  支持面
７Ａ  突起部
８  凹部
９  環状凸部
１０  保持板部
【図１】
0004644378.tif 000002
【図２】
0004644378.tif 000003
【図３】
0004644378.tif 000004
【図４】
0004644378.tif 000005
【図５】
0004644378.tif 000006
【図６】
0004644378.tif 000007
【図７】
0004644378.tif 000008
【図８】
0004644378.tif 000009
【図９】
0004644378.tif 000010
【図１０】
0004644378.tif 000011
【図１１】
0004644378.tif 000012
【図１２】
0004644378.tif 000013
【図１３】
0004644378.tif 000014
【図１４】
0004644378.tif 000015
【図１５】
0004644378.tif 000016
【図１６】
0004644378.tif 000017
【図１７】
0004644378.tif 000018
【図１８】
0004644378.tif 000019